(57)【要約】【課題】組み立てミスの発生を従来に比べて抑制できる多角形走査ミラー回転駆動装置を提供すること。【解決手段】多角形走査ミラー５及びそれを回転させる駆動ユニット４を収納するための、内側空間が実質上円柱形状である筐体１と、筐体１の上部を閉じるための蓋２と、蓋２を固定するために、筐体１に、その中心軸を基準にして回転対称の位置に設けられている複数のビス孔９ａ、９ｂ、９ｃと、多角形走査ミラー５の回転駆動時において、多角形走査ミラー５の上方移動を抑制するための、複数の突起部材７ａ、７ｂ、７ｃと、を備え、突起部材７ａ、７ｂ、７ｃは、蓋２を筐体１にビス止めする場合に取り付け得る全ての取り付け位置において、ビス孔９ａ、９ｂ、９ｃと突起部材７ａ、７ｂ、７ｃの相対的な位置関係が実質上同一になるように設けられている、多角形走査ミラー回転駆動装置である。【選択図】図２
2007163944.tif 000002
【特許請求の範囲】
【請求項１】
多角形走査ミラーと、
前記多角形走査ミラーを回転させる駆動ユニットと、
前記多角形走査ミラー及び前記駆動ユニットを収納するための、内側空間が実質上円柱形状である筐体と、
前記筐体の上部を閉じるための蓋と、
前記蓋を固定するために、前記筐体に、その中心軸を基準にして回転対称の位置に設けられている前記複数のビス孔と、
前記多角形走査ミラーの回転駆動時において、前記多角形走査ミラーの上方移動を抑制するための、複数の突起部材と、を備え、
前記突起部材は、前記蓋を前記筐体にビス止めする場合に取り付け得る全ての取り付け位置において、前記ビス孔と前記突起部材の相対的な位置関係が実質上同一になるように設けられている、多角形走査ミラー回転駆動装置。
【請求項２】
前記突起部材は、前記多角形走査ミラー側に突き出るように、前記蓋の内側に設けられている、請求項１記載の多角形走査ミラー回転駆動装置。
【請求項３】
前記複数の突起部材は、前記中心軸を基準として回転対称の位置に設けられており、
前記突起部材の数は、前記ビス孔の数と同数または整数倍である、請求項２記載の多角形走査ミラー回転駆動装置。
【請求項４】
多角形走査ミラーと、
前記多角形走査ミラーを回転させる駆動ユニットと、
前記多角形走査ミラー及び前記駆動ユニットを収納するための、内側空間が実質上円柱形状である筐体と、
前記筐体の上部を閉じるための蓋と、
前記多角形走査ミラーの回転駆動時において、前記多角形走査ミラーの上方移動を抑制するための突起部材と、を備え、
前記突起部材は、前記筐体の中心軸側に突き出るように、前記筐体の内側面に設けられている、多角形走査ミラー回転駆動装置。
【発明の詳細な説明】
【技術分野】
【０００１】
本発明は、画像形成装置において光学走査装置として利用される多角形走査ミラー回転駆動装置に関する。
【背景技術】
【０００２】
プリンターなどの画像形成装置には、図１６の外観図に示すような、光線の入出射のためのガラス窓９９を備えた、光学走査を行うポリゴンミラー回転駆動装置が設けられている。図１７は、図１６のＢＢ´間の断面構成図である。図１７に示すように、ポリゴンミラー回転駆動装置では、ポリゴンミラー１００と、ポリゴンミラー１００を回転駆動するためのロータ１０１と、ポリゴンミラー１００とロータ１０１を収納するための筐体１０２を備えている。更に、筐体１０２を密閉するための蓋１０３が設けられている。この蓋１０３は、高速で回転するポリゴンミラー１００から発せられる音を静音化するために設けられている。
【０００３】
このような密閉された空間で、ポリゴンミラー１００を回転駆動させた場合、ポリゴンミラー１００の上方と下方に生じる負圧が異なるため、ポリゴンミラー１００が浮き上がる場合があった。
【０００４】
このポリゴンミラー１００の浮き上がりを防止するために、図１８に示すように、突起部材として空気流抑制板１０４を蓋１０３の内側に設けたポリゴンミラー回転駆動装置が開示されている（例えば、特許文献１参照。）。
【特許文献１】実用新案登録第２５６９２４４号公報
【発明の開示】
【発明が解決しようとする課題】
【０００５】
しかしながら、上記文献１には、空気流抑制板１０４がポリゴンミラー１００の浮き上がりを防止することについて有用であることについては開示されているが、蓋１０３と筐体１０２との取り付け手段については記載されていない。しかし、このような蓋１０３は、一般的にビスによって筐体１０２に取り付けられる。
【０００６】
そこで、図１８の従来例の構造をビスで取り付ける場合を想定したものを図１９に示す。
【０００７】
ここで、図１９は、ポリゴンミラー回転駆動装置の一例の平面図である。図１９に示すポリゴンミラー回転駆動装置は、筐体１０２に設けられ、蓋１０３及び筐体１０２の中心軸１０５を中心として３回回転対称に形成されている３つの筐体側ビス孔１０７を備えている。また、蓋１０３に、中心軸１０５を中心として、３回回転対称になるように蓋側ビス孔１０８が３つ形成されている。又、４つの空気流抑制板１０４が、中心軸１０５を中心として４回回転対称に設けられている。この図１９に示すような、筐体側ビス孔１０７を基準とした空気流抑制板１０４の配置とすることにより、ポリゴンミラー１００の浮き上がりを効果的に防止することが出来る。
【０００８】
しかしながら、蓋１０３は筐体１０２に３通りの異なる位置で取り付けることが出来るため、生産工程において、蓋１０３の取り付け方向を間違えて、例えば、蓋１０３の取り付け位置を１２０度矢印Ｓ方向に回転して取りつけた場合には、図２０に示すように、図１９の場合と比較して空気流抑制板１０４の、筐体側ビス孔１０７及びガラス窓９９との相対的な位置が異なることがあり、浮き上がりを効果的に防止できないという問題が生じることに本発明者は気づいた。
【０００９】
つまり、蓋１０３は、放熱の観点からもアルミダイカストで構成されており、透明でないために３通りの取り付け位置から、作業者が正規の取り付け位置を確認しながら組み立てる作業は極めて面倒であり、大量生産時には、組み立てミスが発生しやすいという課題がある。
【００１０】
本発明は、組み立てミスの発生を従来に比べて抑制できる多角形走査ミラー回転駆動装置を提供することを目的とする。
【課題を解決するための手段】
【００１１】
上記目的を達成するために、第１の本発明は、
多角形走査ミラーと、
前記多角形走査ミラーを回転させる駆動ユニットと、
前記多角形走査ミラー及び前記駆動ユニットを収納するための、内側空間が実質上円柱形状である筐体と、
前記筐体の上部を閉じるための蓋と、
前記蓋を固定するために、前記筐体に、その中心軸を基準にして回転対称の位置に設けられている前記複数のビス孔と、
前記多角形走査ミラーの回転駆動時において、前記多角形走査ミラーの上方移動を抑制するための、複数の突起部材と、を備え、
前記突起部材は、前記蓋を前記筐体にビス止めする場合に取り付け得る全ての取り付け位置において、前記ビス孔と前記突起部材の相対的な位置関係が実質上同一になるように設けられている、多角形走査ミラー回転駆動装置である。
【００１２】
また、第２の本発明は、
前記突起部材は、前記多角形走査ミラー側に突き出るように、前記蓋の内側に設けられている、第１の本発明の多角形走査ミラー回転駆動装置である。
【００１３】
また、第３の本発明は、
前記複数の突起部材は、前記中心軸を基準として回転対称の位置に設けられており、
前記突起部材の数は、前記ビス孔の数と同数または整数倍である、第２の本発明の多角形走査ミラー回転駆動装置である。
【００１４】
また、第４の本発明は、
多角形走査ミラーと、
前記多角形走査ミラーを回転させる駆動ユニットと、
前記多角形走査ミラー及び前記駆動ユニットを収納するための、内側空間が実質上円柱形状である筐体と、
前記筐体の上部を閉じるための蓋と、
前記多角形走査ミラーの回転駆動時において、前記多角形走査ミラーの上方移動を抑制するための突起部材と、を備え、
前記突起部材は、前記筐体の中心軸側に突き出るように、前記筐体の内側面に設けられている、多角形走査ミラー回転駆動装置である。
【発明の効果】
【００１５】
本発明によれば、組み立てミスの発生を従来に比べて抑制できる多角形走査ミラー回転駆動装置を提供することが出来る。
【発明を実施するための最良の形態】
【００１６】
以下、本発明にかかる多角形走査ミラー回転駆動装置の一実施例としてのポリゴンミラー回転駆動装置について説明する。
【００１７】
（実施の形態１）
図１は、本実施の形態１のポリゴンミラー回転駆動装置の外観図である。本実施の形態１のポリゴンミラー回転駆動装置は、内側空間が実質上円柱形状の筐体１と、筐体１の上部に設けられた、実質上円形状の蓋２と、筐体１の側面に設けられた、光が入出射するためのガラス窓３とを備えている。
【００１８】
図２は、図１のＡＡ´断面の模式構成図である。筐体１の底部に、ロータ４が配置されており、このロータ４に直結してポリゴンミラー５が設けられている。また、蓋２の下側には、ポリゴンミラー５側に突き出るように突起部材７が設けられている。
【００１９】
図３は、本実施の形態１のポリゴンミラー回転駆動装置の蓋を除いた状態の平面図である。図３に示すように、ポリゴンミラー５は上方から見ると正八角形状である。また、筐体１には、ビスを挿入するために、同一径の３つの筐体側ビス孔９ａ、９ｂ、９ｃが、軸８を中心にして１２０度間隔で３箇所設けられている。尚、ガラス窓３の中心軸３ａ上であって、ガラス窓３と対向する位置に配置されている筐体側ビス孔を９ａとし、筐体側ビス孔９ａから順に時計周りに配置されているビス孔を９ｂ、９ｃとする。また、これら筐体側ビス孔９ａ、９ｂ、９ｃは、筐体１の内側面１ｄよりも内側に突出した、凸部１ａ、１ｂ、１ｃに設けられている。
【００２０】
図４は、本実施の形態１のポリゴンミラー回転駆動装置の蓋の平面図である。蓋２には、筐体１に固定するための３つの蓋側ビス孔６ａ、６ｂ、６ｃが、軸８を中心として１２０度間隔で蓋２の外周近傍に設けられている。また、３つの突起部材７ａ、７ｂ、７ｃが、軸８を中心として１２０度間隔で、蓋側ビス孔６ａ、６ｂ、６ｃの位置よりも内周側に設けられている。この突起部材７ａ、７ｂ、７ｃは、蓋側ビス孔６ａ、６ｂ、６ｃの位置よりも時計方向に所定角度θ°回転した位置に設けられている。尚、蓋側ビス孔６ａ、６ｂ、６ｃは同一径である。又、突起部材７ａ、７ｂ、７ｃは、同一形状であり、それらの位置だけでなく取り付け方向についても軸８を中心に回転対称となるように取り付けられている。
【００２１】
すなわち、蓋側ビス孔６ａ、６ｂ、６ｃは、軸８を回転軸として３回回転対称となるような位置に形成されており、突起部材７ａ、７ｂ、７ｃは軸８を中心として３回回転対称となるように配置されている。
【００２２】
図５は、本実施の形態１のポリゴンミラー回転駆動装置の平面図である。図５に示すように、蓋側ビス孔６ａが筐体側ビス孔９ａに、蓋側ビス孔６ｂが筐体側ビス孔９ｂに、蓋側ビス孔６ｃが筐体側ビス孔９ｃに一致するように、蓋２は筐体１に取り付けられている。
【００２３】
なお、本実施の形態１のポリゴンミラー回転駆動装置は、図５に示すような、筐体側ビス孔９ａ、９ｂ、９ｃを基準とした所定の位置に突起部材７ａ、７ｂ、７ｃを配置することによって、ポリゴンミラー５の上下の負圧の差を低減し、浮き上がりを防止する効果を有する。
【００２４】
また、本発明の多角形走査ミラーの一例は、本実施の形態１のポリゴンミラー５に相当し、本発明の駆動ユニットの一例は、本実施の形態１のロータ４に相当する。また、本発明の複数のビス孔の一例は、本実施の形態１の筐体側ビス孔９ａ、９ｂ、９ｃに相当する。
【００２５】
上記構成のポリゴンミラー回転駆動装置の製造工程において、ロータ４及びポリゴンミラー５が収納された筐体１に、蓋２を固定する場合には、蓋側ビス孔６ａ、６ｂ、６ｃが軸８を回転軸として３回回転対称になるように配置されているため、筐体側ビス孔９ａ、９ｂ、９ｃを基準とすると、異なる３通りの位置で筐体１に対して取り付けることが出来ることになる。
【００２６】
図６に蓋２を１２０度回転させて取り付けた場合の平面図を示す。図６に示すように、１２０度時計回りにずらして取り付けた場合には、蓋側ビス孔６ａが筐体側ビス孔９ｂに、蓋側ビス孔６ｂが筐体側ビス孔９ｃに、蓋側ビス６ｃが筐体側ビス孔９ａに取り付けられることとなる。
【００２７】
このように、筐体１を固定し、蓋２を回転させて取り付けた場合であっても、本実施の形態１では、突起部材７ａ、７ｂ、７ｃは軸８を中心にして３回回転対称に形成されているため、突起部材７ａ、７ｂ、７ｃの位置は、筐体側ビス孔９ａ、９ｂ、９ｃに対して変化しないこととなる。なお、筐体側ビス孔９ａ、９ｂ、９ｃの位置は、ガラス窓３を基準として配置されているため、突起部材７ａ、７ｂ、７ｃの位置は、ガラス窓３に対して変化しないともいえる。
【００２８】
以上より、蓋２を３通りの異なる位置で筐体１に取り付けた場合であっても、筐体側ビス孔９ａ、９ｂ、９ｃと突起部材７ａ、７ｂ、７ｃの相対的な位置関係が実質上同一となる。
【００２９】
従って、蓋２を異なる位置で取り付けた場合であっても、所定の位置に突起部材を配置することが出来るため、ポリゴンミラーの浮き上がりを防止する効果を発揮できる。そのため、製造工程における蓋２の取り付けミスを抑制することが可能となる。
【００３０】
なお、本実施の形態１では、蓋側ビス孔６ａ、６ｂ、６ｃの位置に対して、突起部材７ａ、７ｂ、７ｃは、θ度回転した位置に設けられているが、回転した位置に設けず、図７に示すような配置であってもよい。
【００３１】
図７は、蓋２の平面図であり、図８は下側からみた蓋２の斜視図である。
【００３２】
図７に示す蓋２では、蓋側ビス孔６ａ、６ｂ、６ｃと軸８を結ぶ直線上に、３回回転対称になるように突起部材７ａ、７ｂ、７ｃが配置されている。このような構成の場合も上記と同様に、蓋の取り付け間違いをなくすことが可能となる。
【００３３】
また、本実施の形態１では、蓋２に、筐体側ビス孔と突起部材のそれぞれが３つずつ設けられていたが、本構成に限らなくてもよい。
【００３４】
例えば、ビス孔が４つで軸８を中心に回転対称に設けられており、突起部材が８個で軸８を中心に回転対称の位置に設けられていてもよい。このように、突起部材の数がビス孔の数の整数倍であり、それぞれが軸を中心に回転対称に設けられていることが望ましい。尚、例えば、突起部材７ａと突起部材７ｂの間の角度が１２０度、突起部材７ｂと突起部材７ｃの間の角度が１５０度、突起部材７ｃと突起部材７ａの間の角度が９０度の場合は、１回回転対称ともいえるが、本特許請求の範囲、及び本明細書においては、回転対称でないと定義する。
【００３５】
また、本実施の形態１では、突起部材７ａ、７ｂ、７ｃは、蓋２の外周縁に沿うような円弧状になっているが、直方体形状であってもよく、本実施の形態の形状に限られるものではない。
【００３６】
要するに、複数の異なる蓋の取り付け位置において、ビス孔との相対的な位置関係が実質上同一になるように突起部材が設けられておりさえすればよい。
【００３７】
（実施の形態２）
本発明にかかる実施の形態２におけるポリゴンミラー回転駆動装置は、実施の形態１と基本的な構成は同じであるが、実施の形態１と比較して、突起部材が筐体１の筐体側ビス孔９ａ、９ｂ、９ｃの形成されている内側面に設けられている点が異なる。そのため、本相違点を中心に説明する。尚、実施の形態１と同一の構成要素については同一符号を付している。
【００３８】
図９は、本実施の形態２のポリゴンミラー回転駆動装置の側面構成図であり、図１０は、本実施の形態２のポリゴンミラー回転駆動装置の蓋を取り除いた状態の平面図である。図９及び図１０に示すように、本実施の形態２のポリゴンミラー回転駆動装置は、実施の形態１において説明した蓋２に設けられた突起部材７の代わりに、筐体側ビス孔９ａ、９ｂ、９ｃが設けられている凸部１ａ、１ｂ、１ｃから軸８に向かって突出した突起部材１３を備えている。
【００３９】
本実施の形態２では、筐体１に、本発明の突起部材１３が設けられているため、蓋２を３通りの異なる位置に取り付けた場合であっても、筐体側ビス孔９ａ、９ｂ、９ｃに対して、突起部材１３の配置が変わることがないため、蓋の取り付け間違いが生じない。
【００４０】
尚、本実施の形態２における突起部材１３は、凸部１ａ、２ａ、３ａに設けたが、筐体１の内側面のどのような位置に設けても、蓋の取り付け間違いが生じないことはいうまでもない。更に、筐体側ビス孔９ａ、９ｂ、９ｃ及び蓋側ビス孔６ａ、６ｂ、６ｃの位置は、軸８を中心に回転対称に設けられていなくてもよい。
【００４１】
又、本実施の形態２では、突起部材１３を別途設けたが、凸部１ａ、２ａ、３ａが軸８方向に突出するように形成されていてもよい。
【００４２】
又、図１１の平面図に示すような構成のポリゴンミラー回転駆動装置であってもよい。図１１は、蓋を取り除いた状態の平面図である。図１１に示すポリゴンミラー回転駆動装置では、筐体側ビス孔９ａ、９ｂ、９ｃが筐体１の内側面よりも外周側に配置されており。筐体側ビス孔９ａ、９ｂ、９ｃを形成するための凸部１ａ、１ｂ、１ｃが外周側に突出している。この筐体側ビス孔９ａ、９ｂ、９ｃが形成されている筐体１の内側面に、図１０と同様に突起部材１３が配置されている。又、図１１に示す構成において、突起部材１３は筐体１の内側面のどのような位置に設けても、蓋の取り付け間違いが生じないことはいうまでもない。
【００４３】
（参考例１）
以下に、本発明に関連する技術の発明の一例である、参考例１のポリゴンミラー回転駆動装置について図１２及び図１３を参照しながら説明する。
【００４４】
本参考例１のポリゴンミラー回転駆動装置は、実施の形態１と基本的な構成は同じであるが、蓋２にマーカーが形成されている点と、突起部材７ａ、７ｂ、７ｃが軸８に対して回転対称に配置されていない点が異なる。尚、実施の形態１と同一の構成要素には同一符号を付している。
【００４５】
図１２は、本参考例１のポリゴンミラー回転駆動装置の斜視図である。図１２に示すように、ガラス窓３に向かう矢印状のマーカー１２が、蓋２に形成されている。又、図１３は、本参考例１のポリゴンミラー回転駆動装置の平面図である。図１３に示すように、本参考例１の突起部材７ａ、７ｂ、７ｃは回転対称に設けられておらず、突起部材７ａと突起部材７ｂの間の角度は１２０度、突起部材７ｂと突起部材７ｃの間の角度は１５５度、突起部材７ｃと突起部材７ａの間の角度は８５度となっている。このような突起部材７ａ、７ｂ、７ｃの配置によって、本参考例１のポリゴンミラー回転駆動装置は、ポリゴンミラーの浮き上がりを防止する効果を有する。
【００４６】
本参考例１におけるポリゴンミラー回転駆動装置の製造工程においても、実施の形態１と同様に３通りの異なる位置で蓋２を筐体１に取り付けることが出来るが、本参考例１では、実施の形態１と異なり、突起部材７ａ、７ｂ、７ｃが軸８を中心として回転対称に配置されていないため、蓋２の取り付け位置によって、筐体側ビス孔９ａ、９ｂ、９ｃを基準とする突起部材７ａ、７ｂ、７ｃの配置が異なることとなる。
【００４７】
ここで、ポリゴンミラー回転駆動装置の組み立て時に、マーカー１２の矢印の方向がガラス窓３に向かうように蓋２を筐体１に組み付けることによって、３通りのうち１通りの取り付け位置に決めることが出来る。
【００４８】
そのため、本参考例１では、筐体１に対する蓋２の取り付け位置を間違えることを抑制することが可能となる。
【００４９】
なお、本参考例１では、突起部材７の位置は、軸８を中心として回転対称の位置に設けられていないが、回転対称の位置に設けられていてもよい。従来の図２０に示されているように、回転対称の位置であっても、突起部材の数がビス孔の整数倍でない場合には、蓋２の取り付け位置によって、筐体側ビス孔９ａ、９ｂ、９ｃに対する突起部材の配置が異なることになるため、本参考例１のマーカーは有用である。
【００５０】
上述したように、上記参考例を一例とする発明は、
多角形走査ミラーと、前記多角形走査ミラーを回転させるための回転駆動ユニットと、
前記多角形走査ミラー及び前記駆動ユニットを収納するための、内側空間が実質上円柱形状である筐体と、
前記筐体の上部を閉じるための蓋と、
前記蓋を固定するために、前記筐体に、その中心軸を基準にして回転対称の位置に設けられている前記複数のビス孔と、
前記多角形走査ミラーの回転駆動時において、前記多角形走査ミラーの上方移動を抑制するために、前記多角形走査ミラーの方向に突出するように前記蓋の内側に設けられた、複数の突起部材と、
前記筐体に取り付ける方向を示すために前記蓋に形成されたマーカーと、を備えた、多角形走査ミラー回転駆動装置である。
【００５１】
さらに、前記蓋は、前記突起部材、及び前記マーカーと一体成形されることが好ましい。
【００５２】
（参考例２）
以下に、本発明に関連する技術の発明の一例である、参考例２のポリゴンミラー回転駆動装置について図１４を参照しながら説明する。
【００５３】
本参考例２のポリゴンミラー回転駆動装置は、参考例１と基本的な構成は同じであるが、参考例１と比較して、マーカー１２が形成されていない点と、１つのビス孔の径が他のビス孔と比較して小さい点が異なっている。そのため、本相違点を中心に説明する。尚、参考例１と同一の構成要素には同一符号を付している。
【００５４】
図１４は、本参考例２のポリゴンミラー回転駆動装置の平面図である。図１４に示されているように、本参考例２では、筐体１の筐体側ビス孔９ａ´が、他の筐体側ビス孔９ｂ、９ｃと比較して小さくなっており、それに対応する位置の蓋２の蓋側ビス孔６ａ´の径も蓋側ビス孔６ｂ、６ｃと比較して小さくなっている。従って、蓋側ビス孔６ａ´および筐体側ビス孔９ａ´には、ビス１０と比較して径の小さいビス１０´が取り付けられている。
【００５５】
本参考例２では、蓋２は、筐体１に対して１通りの取り付け位置でしか取り付け出来ないため、蓋２の取り付け間違いを抑制することが出来る。
【００５６】
上述したように、上記参考例を一例とする発明は、
多角形走査ミラーと、
前記多角形走査ミラーを回転させる駆動ユニットと、
前記多角形走査ミラー及び前記駆動ユニットを収納するための筐体と、
前記筐体の上部を閉じるための蓋と、
前記筐体に設けられている前記蓋を固定するための、前記複数のビス孔と、
前記多角形走査ミラーの回転駆動時において、前記多角形走査ミラーの上方移動を抑制するために、前記多角形走査ミラーの方向に突出するように前記蓋の内側に設けられた、複数の突起部材と、を備え、
前記複数のビス孔には、１つの径が異なるビス孔が含まれている、多角形走査ミラー回転駆動装置である。
【００５７】
また、前記径が異なるビス孔は、他の複数のビス孔よりも径が小さい方が、より好ましい。
【００５８】
（参考例３）
以下に、本発明に関連する技術の発明の一例である、参考例３のポリゴンミラー回転駆動装置について図１５を参照しながら説明する。
【００５９】
本参考例３におけるポリゴンミラー回転駆動装置は、参考例１と基本的な構成は同じであるが、参考例１と比較して、マーカー１２が形成されていない点と、ビス孔が軸を中心として回転対称に配置されていない点が異なる。そのため、本相違点を中心に説明する。尚、参考例１と同一の構成要素には同一符号を付している。
【００６０】
図１５は、本参考例３のポリゴンミラー回転駆動装置の平面図である。図１５に示されているように、本参考例３では、筐体１の筐体側ビス孔９ａ、９ｂ、９ｃに加えて、筐体側ビス孔９ｄが９ａ、９ｂ間に設けられており、それに対応する蓋２のビス孔６ｄも設けられている。
【００６１】
本参考例３では、筐体側ビス孔９ａ、９ｂ、９ｃ、９ｄと対応する蓋側ビス孔６ａ、６ｂ、６ｃ、６ｄが軸８を中心として回転対称に設けられていないため、蓋２は一通りの取り付け位置でしか取り付けられないので、蓋２の取り付け間違いを抑制することが出来る。
【００６２】
上述したように、上記参考例を一例とする発明は、
多角形走査ミラーと、
前記多角形走査ミラーを回転させる駆動ユニットと、
前記多角形走査ミラー及び前記駆動ユニットを収納するための、内側空間が実質上円柱形状である筐体と、
前記筐体の上部を閉じるための蓋と、
前記筐体に設けられている前記蓋を固定するための複数の筐体側ビス孔と、
前記複数のビス孔に対応するように、前記蓋に設けられている複数の蓋側ビス孔と、
前記多角形走査ミラーの回転駆動時において、前記多角形走査ミラーの上方移動を抑制するために、前記多角形走査ミラーの方向に突出するように前記蓋の内側に設けられた、複数の突起部材と、を備え、
前記複数の筐体側ビス孔は、前記筐体の中心軸を基準にして回転非対称の位置に設けられている、多角形走査ミラー回転駆動装置である。
【産業上の利用可能性】
【００６３】
本発明の多角形走査ミラー回転駆動装置は、組み立てミスの発生を従来に比べて抑制できるという効果を有し、画像形成装置などに用いる多角形走査ミラー回転駆動装置として有用である。
【図面の簡単な説明】
【００６４】
【図１】本発明にかかる実施の形態１におけるポリゴンミラー回転駆動装置の外観図
【図２】本発明にかかる実施の形態１におけるポリゴンミラー回転駆動装置の断面構成図
【図３】本発明にかかる実施の形態１におけるポリゴンミラー回転駆動装置の蓋を取り除いた状態の平面図
【図４】本発明にかかる実施の形態１におけるポリゴンミラー回転駆動装置の蓋の平面図
【図５】本発明にかかる実施の形態１におけるポリゴンミラー回転駆動装置の平面図
【図６】本発明にかかる実施の形態１におけるポリゴンミラー回転駆動装置において蓋を１２０度回転させた状態の平面図
【図７】本発明にかかる実施の形態１におけるポリゴンミラー回転駆動装置の変形例の平面図
【図８】本発明にかかる実施の形態１の変形例におけるポリゴンミラー回転駆動装置の蓋の外観図
【図９】本発明にかかる実施の形態２におけるポリゴンミラー回転駆動装置の断面構成図
【図１０】本発明にかかる実施の形態２におけるポリゴンミラー回転駆動装置の蓋を取り除いた状態の平面図
【図１１】本発明にかかる実施の形態２の変形例におけるポリゴンミラー回転駆動装置の蓋を取り除いた状態の平面図
【図１２】本発明に関連する発明の一例である参考例１におけるポリゴンミラー回転駆動装置の外観図
【図１３】本発明に関連する発明の一例である参考例１におけるポリゴンミラー回転駆動装置の平面図
【図１４】本発明に関連する発明の一例である参考例２におけるポリゴンミラー回転駆動装置の平面図
【図１５】本発明に関連する発明の一例である参考例３におけるポリゴンミラー回転駆動装置の平面図
【図１６】従来のポリゴンミラー回転駆動装置の外観図
【図１７】従来のポリゴンミラー回転駆動装置の断面構成図
【図１８】従来のポリゴンミラー回転駆動装置の断面構成図
【図１９】従来のポリゴンミラー回転駆動装置の平面図
【図２０】従来のポリゴンミラー回転駆動装置の蓋の取り付け位置を変更したときの平面図
【符号の説明】
【００６５】
１  筐体
２  蓋
３  ガラス窓
４  ロータ
５  ポリゴンミラー
６ａ、６ｂ、６ｃ  蓋側ビス孔
７ａ、７ｂ、７ｃ  突起部材
８  軸
９ａ、９ｂ、９ｃ  筐体側ビス孔
１０  ビス
【図１】
2007163944.tif 000003
【図２】
2007163944.tif 000004
【図３】
2007163944.tif 000005
【図５】
2007163944.tif 000006
【図６】
2007163944.tif 000007
【図８】
2007163944.tif 000008
【図９】
2007163944.tif 000009
【図１０】
2007163944.tif 000010
【図１１】
2007163944.tif 000011
【図１２】
2007163944.tif 000012
【図１３】
2007163944.tif 000013
【図１４】
2007163944.tif 000014
【図１５】
2007163944.tif 000015
【図１６】
2007163944.tif 000016
【図１７】
2007163944.tif 000017
【図１８】
2007163944.tif 000018
【図４】
2007163944.tif 000019
【図７】
2007163944.tif 000020
【図１９】
2007163944.tif 000021
【図２０】
2007163944.tif 000022